(57)【要約】【課題】  便器本体に便座を装着してなる洋式の便器における便座で、従来の便器は、用便後立ち上がろうとした時、両膝に大きな負担がかかり高齢者、障害者や膝を痛めている人にとってはとても苦痛である。特に最初の立ち上がろうと力を入れる時が最も負担のかかる時である。したがって最初に立ち上がろうとした時、お尻を押し上げ補助する便座を提供する。【解決方法】上記課題を解決するため本発明は、便器本体とその上に置かれている便座と便座を上下させるための動力部が設けられており、動力部は便器本体に固定されている。さらに便座の後端に任意の間隔で設けられた２箇所の固定された蝶番に各それぞれに便座を上下させるための可動式のＬ型連結アームの先端を取り付け、該Ｌ型連結アームの他方を動力部に固定する。その連結された該Ｌ型連結アームの途中にシリンダーの先端を取り付け、該シリンダーの根元を動力部本体に固定する。該シリンダーを伸び縮みさせることにより便座を上下させる構造を持った装置。【選択図】  図２
2005261891.tif 000002
【特許請求の範囲】
【請求項１】
便器本体に便座を装着してなる洋式の便器における便座で、便器本体とその上に置かれている便座と便座を上下させるための動力部と、便座と動力部を連結する連結部から構成され、該動力部は該便器本体に固定されており、該動力部により連結部を上下可動させ、便座を上下に可動する仕組みを持ったことを特徴とする装置。
【請求項２】
便器本体に便座を装着してなる洋式の便器における該便座を上部便座と下部便座の２段に分割し、該下部便座の後端（２５）を便器本体と蝶番で可動出来る様な構造を持ち、かつその反対の前端（２６）を該上部便座と蝶番で可動できる構造を有するもので、該下部便座と該上部便座を連結する蝶番を支点とし該下部便座を力点、該上部便座を作用点とした仕組みで該上部便座を起伏させることを特徴とした装置。
【発明の詳細な説明】
【技術分野】
【０００１】本発明は、便器本体に便座を装着してなる洋式の便器に関するである。
【背景技術】
【０００２】  従来の便器は、使用後立ち上がろうとした時、自力で立ち上がらなければならず、両膝に大きな負担がかかり高齢者、障害者や膝を痛めている人にとってはとても苦痛である。特に初めの立ち上がろうと力を入れる時が最も膝に負担がかかる時である。補助的装置としては、手すりなどを設けている。
【発明の開示】
【発明が解決しようとする課題】
【０００３】  本発明は上記実情を鑑見てなされたもので、使用後立ち上がろうとした時、便座を上方向に押し上げ補助的に介添えし無理なく立ち上がらせることのできるような構造を設けることにより高齢者、障害者や膝を痛めている人たちの膝への負担を軽減し、立ち上がる行動を容易にする。
【問題を解決する為の手段】
【０００４】  請求項１において上記課題を解決するため本発明は、便器本体とその上に置かれている便座と便座を上下させるための動力部が設けられており、動力部は便器本体に固定されている。さらに便座に任意の間隔で設けられた２箇所の固定された蝶番に各それぞれに便座を上下させるための可動式のＬ型連結アームの先端を取り付け、該Ｌ型連結アームの他方を動力部に固定する。その連結された該Ｌ型連結アームの途中にシリンダーの先端を取り付け、該シリンダーの根元を動力部本体に固定する。該シリンダーを伸び縮みさせることにより便座を上下させる構造を持った装置。
【０００５】  また、請求項２において上記課題を解決するため本発明は、便器本体の上に置かれている便座を上部便座と下部便座の２段に分割し、該下部便座の後端を便器本体と蝶番で可動出来る様な構造を持ち、かつその反対の上部便座と蝶番で可動できる構造を有するもので、該下部便座と該上部便座を連結する蝶番前端を支点とし、下部便座を力点、上部便座を作用点になるようにシリンダーを取り付け、該上部便座を起伏させる構造を有した装置。
【発明を実施するための最良の形態】
【０００６】  本発明の実施の形態を図で以下説明する。本発明は、図１に示すように便器本体１と動力部２と便座３から構成され、便器本体１と動力部２はボルト１０で固定され、該動力部２と該便座３はＬ型連結アーム４を介して連結されている。【０００７】  上記該動力部２と該便座３を連結するＬ型連結アーム４は、を該便器３の蝶番６と他方を動力部２の架台１１に溶接固定されたリブ１２にシャフト７で取り付けられ、該Ｌ型連結アーム４の縦部分の途中にシリンダー５の先端８を取り付け、根元を該架台１１に溶接固定したピース９にピンで取り付ける。【０００８】  該シリンダー５を伸縮させることにより該便座を上下させることができる。なおシリンダー５を伸ばした状態図２において該便座を上げる高さはＬ型連結アーム（４）の長さとシリンダー５のストローク長とシリンダー取り付け位置による。【０００９】  請求項２の本発明の実施の形態を図で以下説明する。本発明は、図３に示すように便器本体１と上部便座２１と下部便座２２から構成され、該下部便座２２の後端を便器本体１と蝶番２５で可動出来る様な構造を持ち、かつその反対の前端を上部便座２１と蝶番２６で可動できる構造を有するもので、該下部便座２２と該上部便座２１を結合する蝶番２６を支点とし、該下部便座２２を力点となるようにシリンダー２９の一方をピンで該下部便座２２に固定されたリブ２７にピンで取り付け、他方の上部便座２１を作用点になるように該上部便座２１に固定されたリブ２８にピンで接続し、該シリンダー２９を伸縮させることにより該上部便器２１を起伏させる構造を有した装置。【００１０】  該シリンダー２９を伸縮させることにより該上部便座２１を起伏させることができる。なおシリンダー２９を伸ばした状態図３において該上部便座２１を上げる高さはシリンダー２９のストローク長およびシリンダーの取り付け位置による。【００１１】また、便座の上下は、シリンダーのみにこだわらず其の他機械的方法およびゴムチューブ式流体方式などが考えられる。【００１２】  尚、本発明は、本発明の精神を逸脱しない限りの改変をなすことができ、そして、本発明が改変されたものに及ぶことは当然である。
【発明の効果】
【００１３】  本発明の請求項１においては、便器本体とその上に置かれている便座と便座を上下させるための動力部が設けられており、動力部は便器本体に固定されている。固定された該動力部のＬ型連結アームに便座の蝶番に連結し、該Ｌ型連結アームの途中にシリンダーの一方を取り付け、該シリンダーの伸縮により該便座を上下する方法を用いている。
【００１４】  また、請求項２においては、便器本体の上に置かれている便座を上部便座と下部便座の２段に分割し、該下部便座の後端を便器本体と蝶番で可動出来る様な構造を持ち、かつその反対の前端を上部便座と蝶番で可動できる構造を有するもので、該下部便座と該上部便座を結合する蝶番を支点とし、下部便座を力点、上部便座を作用点になるようにシリンダーを取り付け、該シリンダーの伸縮により該上部便座を起伏させる方法を用いている。
【００１５】  使用後立ち上がろうとした時、請求項１および請求項２の方法で便座を上方向に押し上げる補助的な介添えで無理なく立ち上がらせることができる。このことにより高齢者、身障者や膝を痛めている人たちの膝への負担を軽減し、立ち上がる行動を容易にする。
【００１６】  また、車椅子を使用している人たちにとっても、便器から車椅子への移動を容易にする。
【図面の簡単な説明】
【００１７】
【図１】本発明の請求項１の構造図。
【図２】本発明（請求項１）のシリンダーが伸びた状態の図。
【図３】本発明の請求項２の構造図。
【図４】本発明（請求項２）のシリンダーが伸びた状態の図。
【図５】本発明の使用時（イ）、人を押し上げて状態図（ロ）。
【符号の説明】
【００１８】１    便器
２    動力部
３    便座
４    Ｌ型接続アーム
５    シリンダー
６，７，８，９  蝶番
１０  固定ボルト
１１  動力部ベース
１２  Ｌ型接続アーム支持リブ
２１  上部便座
２２  下部便座
２５，２６，２７，２８  蝶番
２９  シリンダー
【図１】
2005261891.tif 000003
【図２】
2005261891.tif 000004
【図３】
2005261891.tif 000005
【図４】
2005261891.tif 000006
【図５】
2005261891.tif 000007